(57)【要約】【課題】端子のベンドダウンを抑制する。【解決手段】本明細書によって開示されるコネクタ１０は、前後方向に長い板状をなし、相手側端子１３に接続される端子接続部２０を有するＬ字端子１４と、端子接続部２０が挿通される端子挿通孔５２が設けられているハウジング１６と、を備え、端子接続部２０の前端部２２は、端子挿通孔５２の開口から前方に突出しており、端子挿通孔５２の内部には、端子接続部２０の板面２０Ａと交差する方向である上下方向の両側のうち下方側から端子接続部２０の板面２０Ａに接触しており、上下方向に弾性変位可能な第１接触部６０が設けられている。【選択図】図２
2020077547.tif 000002
【特許請求の範囲】
【請求項１】
前後方向に長い板状をなし、相手側端子に接続される接続部を有する端子と、
前記接続部が挿通される挿通孔が設けられているハウジングと、を備え、
前記接続部の前端部は、前記挿通孔の開口から前方に突出しており、
前記挿通孔の内部には、前記接続部の板面と交差する方向である第１方向の両側のうち一方側から前記接続部の板面に接触しており、前記第１方向に弾性変位可能な第１接触部が設けられているコネクタ。
【請求項２】
前記第１接触部における前記接続部と接触する第１接点は、前記挿通孔の開口縁側に位置している請求項１に記載のコネクタ。
【請求項３】
前記挿通孔の内部には、前記第１接触部が接触する前記接続部の板面とは反対側の板面に、前記第１方向の他方側から接触しており、前記第１方向に弾性変位可能な第２接触部が設けられている請求項１又は請求項２に記載のコネクタ。
【請求項４】
前記第２接触部における前記接続部と接触する第２接点は、前記挿通孔の開口縁側に位置している請求項３に記載のコネクタ。
【請求項５】
前記第１接触部は、前記端子の幅方向に所定の間隔を開けて一対配され、それぞれが前記第１方向の一方側から個別に接触し、且つ、それぞれが前記第１方向に個別に弾性変位可能に構成されており、
前記第２接触部は、前記端子の幅方向に所定の間隔を開けて一対配され、それぞれが前記第１方向の他方側から個別に接触し、且つ、それぞれが前記第１方向に個別に弾性変位可能に構成されている請求項３又は請求項４に記載のコネクタ。
【発明の詳細な説明】
【技術分野】
【０００１】
本明細書によって開示される技術は、コネクタに関する。
【背景技術】
【０００２】
従来のコネクタの一例として、下記特許文献１に記載のシールドコネクタが知られている。このシールドコネクタは、機器側のケースに形成された取付孔に嵌合して取り付けられる２極のシールドコネクタであって、板状をなす接続部、および電線の端末に接続されるバレル部がＬ字状をなして互いに配置されたＬ字端子と、Ｌ字端子のバレル部を前方から組み込むためのサービスホールが前方に開口して形成された別体ハウジングと、Ｌ字端子の接続部を挿通させる端子挿通孔が形成され、サービスホールを前方から塞ぐことで端子挿通孔から接続部の先端部が前方に突出して配設されるサービスカバーと、を備える。
【０００３】
端子挿通孔の内壁と、Ｌ字端子の接続部の外周面との間には、全周に亘って所定のクリアランスが設けられている。Ｌ字端子の接続部の先端部は、機器側のケース内に配設された相手側バスバーの板面に載置された状態で相手側バスバーにボルト締結される。
【先行技術文献】
【特許文献】
【０００４】
【特許文献１】特開２０１５−５４３２号公報
【発明の概要】
【発明が解決しようとする課題】
【０００５】
端子挿通孔の内壁と、Ｌ字端子の接続部の外周面との間に設けられたクリアランス分、Ｌ字端子の接続部が、下方（即ち、嵌合時において接続部が相手側バスバーの板面に向かう方向）に曲がる（即ち、ベンドダウンする）と、シールドコネクタを嵌合する際に、Ｌ字端子の接続部が相手側バスバーもしくはこれを支持する端子台に干渉する虞がある。
【課題を解決するための手段】
【０００６】
本明細書で開示されるコネクタは、前後方向に長い板状をなし、相手側端子に接続される接続部を有する端子と、前記接続部が挿通される挿通孔が設けられているハウジングと、を備え、前記接続部の前端部は、前記挿通孔の開口から前方に突出しており、前記挿通孔の内部には、前記接続部の板面と交差する方向である第１方向の両側のうち一方側から前記接続部の板面に接触しており、前記第１方向に弾性変位可能な第１接触部が設けられている。
【０００７】
接続部の板面に第１接触部が第１方向の一方側から接触しており、第１接触部は第１方向に弾性変位可能なことから、例えば、第１方向の他方側から一方側に向かう方向を下方とした場合、接続部がベンドダウンしようとすると、第１接触部が下方に弾性変位することによる反力により接続部は上方に戻されるため、端子の接続部がベンドダウンすることを抑制することができる。
【０００８】
また、前記第１接触部における前記接続部と接触する第１接点は、前記挿通孔の開口縁側に位置している構成としても良い。
【０００９】
端子の接続部がベンドダウンする際、接続部が曲がる支点の位置は、挿通孔の後方側に位置していることから、第１接触部の第１接点の位置を挿通孔の開口縁側に設けた場合に接続部が第１接点から受ける力の大きさは、第１接点を挿通孔の開口縁より後方側に設けた場合に接続部が第１接点から受ける力よりも小さくなる。すなわち、接続部がベンドダウンすることを抑制するのに必要とされる力は、接続部の後端側より前端側のほうが小さくて済む。したがって、第１接点の位置を挿通孔の前端側である開口縁側に位置させることで、接続部がベンドダウンすることを抑制しやすくできる。
【００１０】
また、前記挿通孔の内部には、前記第１接触部が接触する前記接続部の板面とは反対側の板面に、前記第１方向の他方側から接触しており、前記第１方向に弾性変位可能な第２接触部が設けられている構成としても良い。
【００１１】
接続部の板面に第１方向の他方側から接触する第２接触部を設けることで、接続部がベンドアップすることを抑制することができる。
【００１２】
また、前記第２接触部における前記接続部と接触する第２接点は、前記挿通孔の開口縁側に位置している構成としても良い。
【００１３】
第２接点の位置を挿通孔の前端側である開口縁側に位置させることで接続部がベンドアップすることを抑制しやすくできる。
【００１４】
また、前記第１接触部は、前記端子の幅方向に所定の間隔を開けて一対配され、それぞれが前記第１方向の一方側から個別に接触し、且つ、それぞれが前記第１方向に個別に弾性変位可能に構成されており、前記第２接触部は、前記端子の幅方向に所定の間隔を開けて一対配され、それぞれが前記第１方向の他方側から個別に接触し、且つ、それぞれが前記第１方向に個別に弾性変位可能に構成されていることとしても良い。
【００１５】
第１接触部は、幅方向に所定の間隔を開けて一対配され、第２接触部は、幅方向に所定の間隔を開けて一対配されているため、接続部が幅方向の中心位置を軸として回転すると、一対の第１接触部のうち、幅方向の一方側に位置する第１接触部の反力、及び、一対の第２接触部のうち、幅方向の他方側に位置する第２接触部の反力は、接続部の回転を抑制する方向に働くこととなる。これにより、接続部が回転することを抑制することができる。
【発明の効果】
【００１６】
本明細書に開示されるコネクタによれば、端子のベンドダウンを抑制することができる。
【図面の簡単な説明】
【００１７】
【図１】実施形態におけるコネクタの斜視図
【図２】コネクタの正面図
【図３】図２におけるＡ−Ａ断面図
【図４】図３における端子の接続部付近の拡大図
【図５】図２におけるＢ−Ｂ断面図
【図６】コネクタの分解斜視図
【図７】ハウジングの構成部品であるサービスカバーの斜視図
【図８】サービスカバーの正面図
【発明を実施するための形態】
【００１８】
＜実施形態＞
図１から図８を参照して本実施形態を説明する。本実施形態のコネクタ１０は、端子台１２（図３に示す）に接続されるシールドコネクタであって、図６に示すように、Ｌ字状をなし、電線Ｗの端末に接続される２つのＬ字端子（端子）１４と、ハウジング１６と、シールドシェル１８と、を備えている。以降の説明では、図１から図８におけるＸ方向を前後方向の前方とし、Ｙ方向を左右方向の右方とし、Ｚ方向を上下方向（第１方向）の上方とする。
【００１９】
Ｌ字端子１４は、図６に示すように、前方に突出する板状の端子接続部（接続部）２０と、端子接続部２０の後端から下方に突出しており、電線Ｗの芯線に圧着される電線接続部２１と、から構成されている。端子接続部２０の前端部２２には、端子台１２の相手側端子１３とボルト締結される締結孔が開口して設けられている。
【００２０】
ハウジング１６は、図６に示すように、前方にハウジングフード２４が開口しており、下方に電線挿通孔２６が開口している第２ハウジング２８と、第２ハウジング２８のハウジングフード２４の開口を前方から塞ぐ別体の第１ハウジング３０とから構成されている。電線Ｗは、ゴム栓３２が先通しされた状態で、第２ハウジング２８の電線挿通孔２６に上方から挿通される。ハウジングフード２４は、角部が丸みを帯びた略正方形の開口形状とされている。ハウジングフード２４の開口縁部における両側部には、それぞれ上下一対のロック片３６が形成されている。このロック片３６は、片持ち状をなして前方に延びる形態をなし、第１ハウジング３０に形成されたロック突起３８に係止することで、第２ハウジング２８と第１ハウジング３０とを組付状態に保持できるようになっている。
【００２１】
第１ハウジング３０は、図６に示すように、角部が丸みを帯びた略正方形の板状をなすハウジング側嵌合部４０と、ハウジング側嵌合部４０の前面から前方に突出する長円筒状の相手側嵌合部４２と、から構成されている。
【００２２】
ハウジング側嵌合部４０の外周面には、図３、図６に示すように、ハウジング側シールリング４４が嵌着され、ハウジング側嵌合部４０は、ハウジングフード２４に前方から嵌合される。相手側嵌合部４２の外周面には、相手側シールリング４６が嵌着され、相手側嵌合部４２は、端子台１２が収容される相手側ケースの取付孔（図示せず）に前方から嵌合される。
【００２３】
相手側嵌合部４２の筒内には、図７、図８に示すように、前後方向に開口する箱状をなす左右一対の端子挿通部４８、及び、端子挿通部４８を補強する格子状のリブ５０が設けられている。端子挿通部４８の開口は、ハウジング側嵌合部４０をハウジングフード２４に嵌合する際に、Ｌ字端子１４の端子接続部２０が後方から挿通される端子挿通孔（挿通孔）５２とされ、図１、図３に示すように、Ｌ字端子１４の前端部２２は、端子挿通孔５２の開口から前方に突出している。
【００２４】
図７に示すように、端子挿通部４８の内壁の下面には、端子挿通部４８の前方の開口縁５２Ａ側から後方に向けてスリットＳが設けられている。スリットＳは、左右方向に所定の間隔を開けて４つ設けられており、これにより、上下方向（第１方向）に個別に弾性変位可能な左右一対の下側弾性片５４が形成されている。左右一対の下側弾性片５４は、左右方向に所定の間隔を開けて設けられている。同様に、端子挿通部４８の内壁の上面には、端子挿通部４８の下面のスリットＳ対応する位置に４つのスリットＳが設けられており、これにより、上下方向（第１方向）に個別に弾性変位可能な左右一対の上側弾性片５６が形成されている。左右一対の上側弾性片５６は、左右方向に所定の間隔を開けて設けられている。
【００２５】
下側弾性片５４の前端には、図３、図４に示すように、上方に突出し、Ｌ字端子１４の端子接続部２０の板面２０Ａに、第１接点５８を介して下方側（板面２０Ａと交差する方向である第１方向の両側のうち一方側）から接触する第１接触部６０が設けられている。ここで、第１接点５８は、端子挿通孔５２の開口縁５２Ａ側に位置している。
【００２６】
また、上側弾性片５６の前端には、図３、図４に示すように、下方に突出し、Ｌ字端子１４の板面２０Ａとは反対側の板面２０Ｂに第２接点６２を介して上方側（板面２０Ｂと交差する方向である第１方向の両側のうち他方側）から接触する第２接触部６４が設けられている。ここで、第２接点６２は、端子挿通孔５２の開口縁５２Ａ側（前端側）に位置している。
【００２７】
図３、図４に示すように、第１接触部６０の上端である第１接点５８と、第２接触部６４の下端である第２接点６２との間の離間距離は、Ｌ字端子１４の端子接続部２０の板厚と略同じ長さとされる。
【００２８】
シールドシェル１８は、導電性の金属板材をプレス加工することによって形成されており、図１、図６に示すように、上下方向及び前方に開口する箱状をなし、第２ハウジング２８が収容されるロア部材１８Ｌと、ロア部材１８Ｌの上方の開口に一対のボルトＴによって固定される板状のアッパ部材１８Ｕとから構成されている。シールドシェル１８は、電線ＷやＬ字端子１４からの電磁波ノイズを遮断するためのものであって、図示しない相手側ケースにアース接続されている。また、ロア部材１８Ｌの下方部には、図示しない編組線が取付けられる。
【００２９】
次に、本実施形態の作用について説明する。ここで、図３におけるＤ１とＤ２について説明する。Ｄ１は上下方向（第１方向）の両側のうち下方を示し、Ｄ２は上下方向（第１方向）の両側のうち上方を示している。
Ｌ字端子１４の端子接続部２０が下方にベンドダウンしようとすると、下側弾性片５４の第１接触部６０がＤ１側から端子接続部２０の板面２０Ａに接触し、下方に弾性変位することによる反力により、Ｌ字端子１４の端子接続部２０は上方に戻される。これにより、Ｌ字端子１４の端子接続部２０がベンドダウンすることを抑制することができ、端子接続部２０の前端部２２を端子台１２の相手側端子１３上に乗せる際に、前端部２２が相手側端子１３の前縁もしくは端子台１２の前端に突き当たることを抑制できる。また、第１接触部６０の第１接点５８は、端子挿通孔５２の開口縁５２Ａ側に位置していることから、第１接点５８が端子挿通孔５２の開口縁５２Ａより後方側に位置する場合と比較して、端子接続部２０から受ける力が小さくなるため、端子接続部２０のベンドダウンを抑制しやすくできる。
【００３０】
Ｌ字端子１４の端子接続部２０が上方にベンドアップしようとすると、上側弾性片５６の第２接触部６４がＤ２側から端子接続部２０の板面２０Ｂに接触し、上方に弾性変位することによる反力により、Ｌ字端子１４の端子接続部２０は下方に戻される。これにより、Ｌ字端子１４の端子接続部２０がベンドアップすることを抑制することができ、ベンドアップにより端子接続部２０の前端部２２と端子台１２の相手側端子１３とのボルト締結がし難くなることを抑制することができる。また、第２接触部６４の第２接点６２は、端子挿通孔５２の開口縁５２Ａ側に位置していることから、第２接点６２が端子挿通孔５２の開口縁５２Ａより後方側に位置する場合と比較して、端子接続部２０から受ける力が小さくなるため、端子接続部２０のベンドアップを抑制しやすくできる。
【００３１】
図２に示すように、Ｌ字端子１４の端子接続部２０が軸ＡＸを中心にＲ方向（反時計回り）に回転しようとすると、一対の下側弾性片５４のうち、左側の下側弾性片５４の第１接触部６０、及び、一対の上側弾性片５６のうち、右側の上側弾性片５６の第２接触部６４が、Ｒ方向に弾性変位することによる反力により、Ｌ字端子１４の端子接続部２０はＲ方向と逆方向に戻される。これにより、Ｌ字端子１４の端子接続部２０が反時計回りに回転することを抑制できる。なお、Ｌ字端子１４の端子接続部２０がＲ方向とは逆方向（時計回り方向）に回転しようとした場合も同様に、端子接続部２０の回転を抑制することができる。
【００３２】
以上のように本実施形態によれば、端子接続部（接続部）２０の板面２０Ａに第１接触部６０がＤ１側（第１方向の一方側）から接触しており、第１接触部６０は上下方向（第１方向）に弾性変位可能なことから、例えば、Ｄ２側（第１方向の他方側）からＤ１側（一方側）に向かう方向を下方とした場合、端子接続部（接続部）２０がベンドダウンしようとすると、第１接触部６０が下方に弾性変位することによる反力により端子接続部（接続部）２０は上方に戻されるため、Ｌ字端子（端子）１４の端子接続部（接続部）２０がベンドダウンすることを抑制することができる。
【００３３】
また、Ｌ字端子（端子）１４の端子接続部（接続部）２０がベンドダウンする際、端子接続部（接続部）２０が曲がる支点の位置は、端子挿通孔（挿通孔）５２の後方側に位置していることから、第１接触部６０の端子接続部（接続部）２０第１接点５８の位置を端子挿通孔（挿通孔）５２の開口縁５２Ａ側に設けた場合に端子接続部（接続部）２０が第１接点５８から受ける力の大きさは、第１接点５８が端子挿通孔（挿通孔）５２の開口縁５２Ａより後方側に設けた場合に接続部が第１接点から受ける力よりも小さくなる。すなわち、端子接続部（接続部）２０がベンドダウンすることを抑制するのに必要とされる力は、端子接続部（接続部）２０の後端側より前端側のほうが小さくて済む。したがって、第１接点５８の位置を端子挿通孔（挿通孔）５２の前端側である開口縁５２Ａ側に位置させることで端子接続部（接続部）２０がベンドダウンすることを抑制しやすくできる。
【００３４】
また、端子接続部（接続部）２０の板面２０ＢにＤ２側（第１方向の他方側）から接触する第２接触部６４を設けることで、端子接続部（接続部）２０がベンドアップすることを抑制することができる。
【００３５】
また、第２接点６２の位置を端子挿通孔（挿通孔）５２の前端側である開口縁５２Ａ側に位置させることで端子接続部（接続部）２０がベンドアップすることを抑制しやすくできる。
【００３６】
また、第１接触部６０は、幅方向に所定の間隔を開けて一対配され、第２接触部６４は、幅方向に所定の間隔を開けて一対配されているため、端子接続部（接続部）２０が幅方向の中心位置を軸として回転すると、一対の第１接触部６０のうち、幅方向の一方側に位置する第１接触部６０の反力、及び、一対の第２接触部６４のうち、幅方向の他方側に位置する第２接触部６４の反力は、端子接続部（接続部）２０の回転を抑制する方向に働くこととなる。これにより、端子接続部（接続部）２０が回転することを抑制することができる。
【００３７】
＜他の実施形態＞
本明細書によって開示される技術は上記記述及び図面によって説明した実施形態に限定されるものではなく、例えば次のような種々の態様も含まれる。
（１）上記実施形態は、コネクタ１０に用いられる端子は、Ｌ字状をなすＬ字端子１４である構成としたが、例えば、前後方向に長い板状端子に対して適用しても良い。
（２）上記実施形態では、コネクタ１０は２極のシールドコネクタである構成としたが、コネクタの極数、コネクタの種類については限定しない。例えば、１極又は３極以上の編組線が接続されない一般コネクタである構成としても良い。
（３）上記実施形態では、左右一対の下側弾性片５４及び左右一対の上側弾性片５６を設ける構成としたが、上側弾性片を設けず、下側弾性片のみ設ける構成としても良い。また、下側弾性片又は上側弾性片の数は、１つのみでも良いし、３つ以上でも良い。
（４）上記実施形態では、下側弾性片５４及び上側弾性片５６により端子接続部２０のベンドダウン及びベンドアップを抑制する構成としたが、例えば、上下方向に弾性変位可能なスプリング部材が端子接続部の板面に下方向及び上方向から接触することで、端子接続部のベンドダウン及びベンドアップを抑制する構成としても良い。
（５）状実施形態では、下側弾性片５４の第１接触部６０及び上側弾性片５６の第２接触部６４は端子挿通孔５２の開口縁５２Ａ側に設ける構成としたが、端子挿通孔の開口縁よりも後方側に設ける構成としても良い。
【符号の説明】
【００３８】
１０：コネクタ
１３：相手側端子
１４：Ｌ字端子（端子）
１６：ハウジング
２０：端子接続部（接続部）
２０Ａ，２０Ｂ：板面
２２：前端部
５２：端子挿通孔（挿通孔）
５２Ａ：開口縁
５８：第１接点
６０：第１接触部
６２：第２接点
６４：第２接触部
【図１】
2020077547.tif 000003
【図２】
2020077547.tif 000004
【図３】
2020077547.tif 000005
【図４】
2020077547.tif 000006
【図５】
2020077547.tif 000007
【図６】
2020077547.tif 000008
【図７】
2020077547.tif 000009
【図８】
2020077547.tif 000010